(57)【要約】【課題】本発明の課題は、例えば製氷機内部でひっつきあった氷を的確に破氷でき、破氷した氷を把持できるアイストングを提供することにある。【解決手段】本発明に係るアイストングの特徴は、氷を把持する把持部１１１と、氷を破氷するアイスピック部１５１とを有する点にある。また、把持部１１１がトング本体１００に設けられ、アイスピック部１５１がアイスピック部材１５０に設けられ、アイスピック部材１５０が別体であるトング本体１００に取付けられる構成を採用すること、また、アイスピック部１５１が、把持部１１１よりも先端側且つ外側に設けられている構成を採用することが好ましい。【選択図】　図１
2004011968.tif 000002
【特許請求の範囲】
【請求項１】
氷を把持する把持部（１１１）と、氷を破氷するアイスピック部（１５１）とを有することを特徴とするアイストング。
【請求項２】
前記把持部（１１１）はトング本体（１００）に設けられ、前記アイスピック部（１５１）はアイスピック部材（１５０）に設けられ、このアイスピック部材（１５０）は、別体であるトング本体（１００）に取付けられていることを特徴とする請求項１記載のアイストング。
【請求項３】
前記アイスピック部（１５１）は、把持部（１１１）よりも先端側且つ外側に設けられていることを特徴とする請求項１又は２記載のアイストング。
【請求項４】
トング本体（１００）は、把持部（１１１）がそれぞれ設けられた一対の把持部材（１１０）を有し、該把持部材（１１０）は、回動部（１３０）を介して互いの把持部（１１１）が接近・離反するように設けられており、該トング本体（１００）には、アイスピック部（１５１）が設けられたアイスピック部材（１５０）が、把持部材（１１０）の内面側に沿って取付けられていることを特徴とする請求項３に記載のアイストング。
【請求項５】
トング本体（１００）が、氷を把持する把持部（１１１）を有するとともに、氷を破氷するアイスピック部（１５１）が設けられたアイスピック部材（１５０）を取付可能に設けられていることを特徴とするアイストング。
【請求項６】
氷を破氷するアイスピック部（１５１）を有するとともに、氷を把持する把持部（１１１）を有するトング本体（１００）に取付可能に設けられていることを特徴とするアイストング用部品。
【発明の詳細な説明】
【０００１】
【発明の属する技術分野】
この発明は、氷を把持する器具としてのアイストングに関するものである。
【０００２】
【従来の技術及びその問題点】
従来、アイストングとしては、図６に示すように、把持部１１１’がそれぞれ設けられた一対の把持部材１１０’を有し、該把持部材１１０’は、回動部１３０’を介して互いの把持部１１１’が接近・離反するように設けられているものが知られている。
ここで、把持部１１１’は、把持部材本体から内側（他方の把持部側）に突出して設けられており、より具体的には、把持部材本体が、トング本体の先端側において内側方向に屈曲され、この屈曲された突出面から把持部１１１’が構成されている。
【０００３】
この種、アイストングは、例えば冷蔵庫の製氷室にある氷を把持して、容器に移すために用いられている。
【０００４】
しかしながら、製氷室内部の氷は、互いにひっつきあっている場合があり、このような場合には、アイストングによって的確に把持できないという問題を有する。
このような場合に、利用者によっては、アイストングの背の部分（回動部１３０’）や、一対の把持部材１１０’を接近させた先端部等を用いて、ひっついた氷同士を破氷することがある。しかし、このような方法によって破氷しようとしても、的確に破氷できないばかりか、アイストング自体の破損を招くおそれがあるという問題を有する。
【０００５】
【発明が解決しようとする課題】
そこで、本発明は上記従来の欠点に鑑みなされたものであり、本発明の課題は、例えば製氷機内部でひっつきあった氷を的確に破氷でき、破氷した氷を把持できるアイストングを提供することにある。
【０００６】
【課題を解決するための手段】
本願発明は上記の課題を解決すべくなされたものであり、本発明に係るアイストングは、氷を把持する把持部１１１と、氷を破氷するアイスピック部１５１とを有することを特徴とする。
【０００７】
該構成からなる本願発明に係るアイストングは、アイスピック部１５１を用いて氷を破氷することができ、また、把持部１１１を用いて破氷した氷を把持することができる。このため、例えば、冷蔵庫の製氷室内で互いにひっつきあった氷であっても、的確に破氷して把持することができる。
【０００８】
また、本発明に係るアイストングは、アイスピック部１５１と把持部１１１とを有するトング本体を一体形成することも可能であるが、両者が別体となるように構成することが好ましい。つまり、請求項２記載のように、把持部１１１がトング本体１００に設けられ、アイスピック部１５１がアイスピック部材１５０に設けられ、このアイスピック部材１５０が、別体であるトング本体１００に取付けられている構成を採用することが好ましい。
かかる構成を採用することにより、アイスピック部１５１と把持部１１１とを、例えば異なる材質から形成することも可能で、各部に要求される強度等に応じた製品を製造することが可能となる。また、把持部１１１が設けられたトング本体１００の製造は従来の製造ラインをそのまま利用することも可能となり、製造コストの高額化を抑制することができる。
【０００９】
また、本発明に係るアイストングは、アイストングの背の部分（回動部１３０）にアイスピック部１５１を設けることも可能であるが、請求項３記載のように、アイスピック部１５１が、把持部１１１よりも先端側且つ外側に設けられている構成を採用することが好ましい。
つまり、アイストングの背の部分にアイスピック部１５１を設けた場合には、利用者がトング本体１００を把持する部位に近く、衛生面等において問題が懸念される一方、請求項３記載のようにアイスピック部１５１を先端側に設けることにより、上述した問題が解消できるばかりか、破氷及び把持の動作を一連で行うことができる。つまり、トング本体１００の先端側に位置するアイスピック部１５１で破氷して、トング本体１００を持ち替えることなくそのまま把持部１１１によって氷を把持することができる。
また、アイスピック部１５１は、把持部１１１よりも先端側に設けられているので、破氷に際して把持部１１１が邪魔にならず、しかも、アイスピック部１５１は、把持部１１１よりも外側に設けられているので、氷を把持するに際してアイスピック部１５１が邪魔にならない。
【００１０】
該構成からなる請求項３記載の発明にあっては、請求項４記載のように、トング本体１００が、把持部１１１のそれぞれ設けられた一対の把持部材１１０を有し、該把持部材１１０が、回動部１３０を介して互いの把持部１１１が接近・離反するように設けられており、トング本体１００に、アイスピック部１５１が設けられたアイスピック部材１５０が、把持部材１１０の内面側に沿って取付けられている構成を採用することが好ましい。
かかる構成からなる請求項４記載のアイストングは、把持部材１１０の内面側に沿って取付けられたアイスピック部１５１によって破氷して、一対の把持部１１１により氷を把持することができる。特に、アイスピック部材１５０とトング本体１００とは、別体で構成されるので、既述のようにアイスピック部１５１及び把持部１１１の各部に要求される強度等に応じた製品を製造することが可能となり、また既存設備の利用等によって、製造コストの高額化を抑制することができる。
また、アイスピック部材１５０は、把持部材１１０の内面側に取付けられることにより、利用者がトング本体１００を把持する際に、アイスピック部材１５０が邪魔にならず、また、アイスピック部材１５０が外側に直接露呈せず、外観も良好なものとすることができる。
なお、上記構成を採用した場合には、アイスピック部材１５０を、把持部材１１０の先端側から回動部１３０付近まで沿って取付けることが好ましく、これにより、アイスピック部材１５０の取付面が広くなるとともに、破氷に際しての力を回動部１３０まで分散させることができる。
【００１１】
また、請求項５記載の発明は、トング本体１００が、氷を把持する把持部１１１を有するとともに、氷を破氷するアイスピック部１５１が設けられたアイスピック部材１５０を取付可能に設けられていることを特徴とする。
また、請求項６記載の発明は、氷を破氷するアイスピック部１５１を有するとともに、氷を把持する把持部１１１を有するトング本体１００に取付可能に設けられていることを特徴とする。
これらの発明に係るものは、双方を取付けることにより、上述した請求項１及び２記載のアイストングと同一の利点を有するものである。
また、この請求項５又は６記載の発明に係るものは、双方が取付けられた際に、アイスピック部１５１が、把持部１１１よりも先端側且つ外側に設けられるように構成することが好ましい。さらに、トング本体１００が、把持部１１１のそれぞれ設けられた一対の把持部材１１０を有し、該把持部材１１０が、回動部１３０を介して互いの把持部１１１が接近・離反するように設けられ、アイスピック部１５１が設けられたアイスピック部材１５０が、把持部材１１０の内面側に沿って取付けられるように構成されていることが好ましい。これによって、上述した請求項３又は４記載のアイストングと同一の利点を有することになる。
【００１２】
【発明の実施の形態】
以下、本発明の実施の形態のアイストングについて、図面を参酌しつつ、以下説明する。
なお、図１は、本発明の一実施の形態のアイストングの使用状態における説明図で、（イ）は側面図、（ロ）は、正面図である。図２は、本発明の他の実施の形態のアイストングの使用状態における説明図で、（イ）は側面図、（ロ）は、正面図である。また、図３は、アイスピック部材と把持部材との取付状態を説明するための図１におけるＡ−Ａ線の部分の端面図であり、（イ）及び（ロ）はそれぞれ取付状態の例を示す。図４は、本発明の他の実施形態のアイストングの側面図である。図５は、本発明の他の実施形態のアイストングの側面図である。
【００１３】
図１及び図２にそれぞれ示すアイストングは、トング本体１００が、把持部１１１がそれぞれ設けられた一対の把持部材１１０を有し、この一対の把持部材１１０は、回動部１３０を介して互いの把持部１１１が接近・離反するように設けられている。本実施形態においては、回動部１３０は、湾曲して設けられており、把持部材１１０は、平板状に設けられているが、かかる形状は適宜設計変更可能である。
【００１４】
また、トング本体１００は、一対の把持部材１１０と回動部１３０とが一体で形成されており、具体的には、鋼材から一体成形されているものである。なお、かかるトング本体１００は、把持して接近した把持部材１１０から力を解放すると両者１１０が離間するように、弾性復元力を有する素材から構成することが好ましい。
【００１５】
また、この把持部材１１０は、長手方向に沿って補強用のリブ１１３が形成されており、この補強用のリブ１１３は、前記一体成形時に同時に形成することが可能である。
【００１６】
また、前記把持部１１１は、把持部材本体１１０ａから内側（他方の把持部１１１側）に突出して設けられているものであり、具体的には、把持部材本体１１０ａが、トング本体１００の先端側において内側方向に屈曲され、この屈曲された突出面から把持部１１１が構成されている。
ここで、把持部１１１は、氷２００をより的確に保持するために、一つの把持部材１１０に複数設けられており、具体的には、前述のように屈曲された部位に複数の突出面が形成され、複数の把持部１１１が設けられ、把持部材１１０の先端側が所謂ギザギザの山型状に設けられている。
さらに、図１に示すアイストングにあっては、把持部１１１は、把持部材１１０の先端部付近の側面が内側に屈曲され、この屈曲された突出面から構成されている。より具体的に説明すると、把持部材１１０は、図３（イ）に示すように、その両側部が内側に屈曲された補強リブ１１３を有しており、前記把持部１１１は、図１（イ）に示すように、補強リブ１１３と連続し且つ補強リブ１１３よりも内側に突出するように屈曲された突出面から構成されている。
また、図２に示すアイストングにあっては、把持部１１１は、把持部材１１０の先端に位置する正面部位が内側に屈曲され、この屈曲された突出面から構成されており、より詳述すると、この先端の正面部位が内側に屈曲されて、この屈曲された部位に複数の突出面が形成され、複数の把持部１１１が設けられており、把持部材１１０の先端が正面視所謂ギザギザの山型状に設けられている（図２（ロ）参照）。
【００１７】
また、トング本体１００は、先端にアイスピック部１５１を有するアイスピック部材１５０が取付けられている。該アイスピック部材１５０は、把持部１１１を有するトング本体１００とは別体で構成され、把持部材１１０及び回動部１３０に固定されるものである。なお、アイスピック部材１５０は、破氷に際して要求される強度を有する材料から形成されている。
【００１８】
また、アイスピック部１５１は、アイスピック部材１５０の先端から構成されており、アイスピック部材１５０の先端（アイスピック部１５１）は、先細り等の破氷に適した形状に形成されているが、主としてひっつきあった氷２００同士を破氷する目的であるので先端は鋭角に形成せずとも丸みをもって形成されても良い。
【００１９】
また、このアイスピック部材１５０の先端からなるアイスピック部１５１は、把持部材１１０の把持部１１１よりもトング本体１００の先端側に設けられ、つまりは、アイスピック部１５１が把持部１１１よりも先端側に突出するように設けられている。
【００２０】
また、このアイスピック部１５１は、把持部材１１０の把持部１１１よりも外側に設けられており、つまりは、一対の把持部材１１０の氷２００との接触部位（把持部１１１）よりも外側に位置するように設けられ、換言すれば、把持部１１１がアイスピック部１５１よりも内側に突出するように設けられているものである。
【００２１】
また、アイスピック部材１５０は、把持部材１１０の内面側に沿って取付けられ、その先端が把持部材１１０の先端側から突出するように設けられている。
ここで、図１に示すアイストングにあっては、アイスピック部材１５０は、把持部材１１０の先端から突出するように把持部材１１０の内面に固定されている。より具体的には、アイスピック部材１５０は、図３（イ）に示すように、把持部材１１０の両側の補強リブ１１３の間に配されるように固定されており、その取付面は、把持部材１１０の内面と同一形状（平面）とされている。
また、図２に示すアイストングにあっても、アイスピック部材１５０は、把持部材１１０の先端から突出するように把持部材１１０の内面に固定されているが、図２（ロ）に示すように、把持部１１１同士の隙間部分からアイスピック部材１５０が突出するように設けられている。また、アイスピック部材１５０は、図３（ロ）に示すように、把持部材１１０に形成された補強リブ１１３の内側に面接して固定されており、その取付面は、把持部材１１０の内面（補強リブ１１３の内面）と同一形状（曲面）とされている。このように、アイスピック部材１５０が、把持部材１１０の溝部１１３に嵌まり込んだ状態で取付けられることにより、アイスピック部材１５０と把持部材１１０との取付強度が強くなる利点を有する。
【００２２】
なお、図１及び図２に示す例においては、アイスピック部材１５０の末端が回動部１３０まで設けられているものを図示しているが、前記末端が把持部材１１０の途中までしか至らないものも本発明の意図する範囲内である。但し、例えば、把持部材１１０の途中にアイスピック部材１５０の末端が当接する当接部を設ける、または、上記実施形態のように前記末端を回動部１３０まで至らしめる等によって、アイスピック部１５１の末端と把持部材１１０又は回動部１３０とが長手方向に接するように設けることが好ましく、これにより、破氷の際の力を的確にトング本体１００に分散させることができる。
【００２３】
また、アイスピック部材１５０と把持部材１１０との取付方法は、種種の方法が採用でき、例えば、部材同士の溶接により固定することが可能である。
【００２４】
なお、上記説明した実施形態は、上述の構成からなるが、本発明はこれに限定されるものではなく、本発明の意図する範囲内において適宜設計変更可能である。
【００２５】
つまり、上記実施形態においては、アイスピック部１５１が、把持部１１１よりも先端側且つ外側に設けられている構成を有するアイストングについて説明したが、本発明はこれに限定されず、例えば、図４に示すように、アイストングの背の部分（回動部１３０）にアイスピック部１５１を設けることも可能である。但し、この場合にあっては、氷２００の破氷と、氷２００の把持とにおいて、異なる側でなされることになり、破氷と把持との間にアイストングを持ち替える作業が必要となる。
【００２６】
また、上記実施形態においては、アイスピック部１５１が一つのものについてのみ説明したが、本発明はこれに限定されず、アイスピック部１５１を複数有するものも本発明の意図する範囲内であり、例えば、図５に示すように、一対の把持部材１１０の双方の先端からそれぞれアイスピック部１５１が突出するように設けることも可能である。なお、図５に示す例においては、各アイスピック部１５１が、それぞれ一対のアイスピック部材１５０に設けられているものを図示しているが、例えば、アイスピック部材１５０を一対の把持部材１１０及び回動部１３０に沿うような形状とする等の方法により、一つのアイスピック部材１５０に複数（二つ）のアイスピック部１５１を設けることも可能である。
【００２７】
さらに、本発明において、アイスピック部１５１と把持部１１１とを有するトング本体１００を一体成形することも可能で、また、上記実施形態のようにアイスピック部材１５０とトング本体１００とを別体で形成した場合にも、両者の取付方法も上記実施形態のような固定に限定されず、例えば両者を着脱自在に取付けることも可能である。
【００２８】
【発明の効果】
上述のように、本発明のアイストングによれば、アイスピック部を用いて氷を破氷することができ、また、把持部を用いて破氷した氷を把持することができる。このため、例えば、冷蔵庫の製氷室内で互いにひっつきあった氷であっても、的確に破氷して把持することができる。
【図面の簡単な説明】
【図１】本発明の一実施の形態のアイストングの使用状態における説明図で、（イ）は側面図、（ロ）は、正面図である。
【図２】本発明の他の実施の形態のアイストングの使用状態における説明図で、（イ）は側面図、（ロ）は、正面図である。
【図３】アイスピック部材と把持部材との取付状態を説明するための図１におけるＡ−Ａ部分の端面図であり、（イ）及び（ロ）はそれぞれ別の取付状態を示す。
【図４】本発明の他の実施形態のアイストングの側面図である。
【図５】本発明の他の実施形態のアイストングの側面図である。
【図６】従来のアイストングの側面図である。
【符号の説明】
１００　　トング本体
１１０　　把持部材
１１０ａ　把持部材本体
１１１　　把持部
１１３　　リブ
１３０　　回動部
１５０　　アイスピック部材
１５１　　アイスピック部
２００　　氷
【図１】
2004011968.tif 000003
【図２】
2004011968.tif 000004
【図３】
2004011968.tif 000005
【図４】
2004011968.tif 000006
【図５】
2004011968.tif 000007
【図６】
2004011968.tif 000008